(57)【要約】【課題】エンドスタッドを構成するノズルとニードルとを容易かつ確実に洗浄する。【解決手段】ノズル２１の先端外側にニードル２２を嵌合した状態で、それらを、筒状のジョイントスリーブ２３の両部材２３Ａ，２３Ｂで左右両側から抱き込む。このジョイントスリーブ２３の外周側にノズル２１の先端部にスライド移動可能に設けられているセーフティスリーブ２４をスライド移動させて、セーフティスリーブ２４をジョイントスリーブ２３の外周にかぶせ、ノズル２１とニードル２２とを締結する。【選択図】  図４
2005344585.tif 000002
【特許請求の範囲】
【請求項１】
回転駆動される雄ねじ形ロータを、雌ねじ形ステータ内に回転自在に嵌挿して偏心回転させることにより対象液を移送し、ポンプ先端のエンドスタッドを通じて前記対象液の塗布・充填を行う一軸偏心ねじポンプにおいて、
前記エンドスタッドは、ノズルの先端にニードルを差し込み、それらを二分割のジョイントスリーブで左右両側から抱き込み、前記ジョイントスリーブの外側にセーフティスリーブを嵌め込んでいることを特徴とする一軸偏心ねじポンプ。
【請求項２】
前記セーフティスリーブは、前記ノズルの先端にニードルが差し込まれた状態で、前記ノズルの外周部とジョイントスリーブの外周部との間をスライド移動可能に設けられており、
前記ジョイントスリーブの先端側に前記セーフティスリーブの移動を規制するストッパ部が設けられていることを特徴とする請求項１記載の一軸偏心ねじポンプ。
【発明の詳細な説明】
【技術分野】
【０００１】
この発明は、洗浄及び冷蔵室・殺菌室・恒温室等の保管室での保管を必要とする食品、薬品及びケミカル液、固形物含有液、スラリー、高粘度液などの低粘度液から高粘度液に至る各種対象液の移送、塗布・充填を行う一軸偏心ねじポンプに関する。詳しくは、洗浄を必要とする一軸偏心ねじポンプのポンプ先端に設けられるエンドスタッドの締結構造に関する。
【背景技術】
【０００２】
周知のように、一軸偏心ねじポンプは、回転駆動される雄ねじ形ロータを、雌ねじ形ステータ内に回転自在に嵌挿して偏心回転させることにより対象液を移送し、ポンプ先端のエンドスタッドを通じて前記対象液の塗布・充填を行うものである（例えば特許文献１，２参照）。
【０００３】
そのような一軸偏心ねじポンプは、通常、分解・洗浄・組立をあまり必要としない用途に使用されるが、食品、薬品その他の分野において使用される場合には、作業前、作業後に接液部や液が付着するポンプ先端部（エンドスタッド）を洗浄することが必要とされる。
【０００４】
そして、例えば図６に示すように、回転駆動される雄ねじ形ロータ１０１を、雌ねじ形ステータ１０２内に回転自在に嵌挿して偏心回転させることにより対象液を移送するポンプ部１０３の先端に、前記対象液の塗布・充填を行うエンドスタッド１０４が設けられる。このエンドスタッド１０４は、洗浄が容易になるように、ノズル１０５と、ニードル１０６とに分割して構成される。そしてそれらは、移送する対象液が高圧のため、ノズル１０５の雄ねじ部分１０５ａにナット１０７（雌ねじ部）を適用することで、ニードル１０６をノズル１０５に締結するようになっている。
【特許文献１】特公昭５９−４５５８号公報（第３頁、第４頁及びＦｉｇ．１）
【特許文献２】実開平４−７５１７５号公報（明細書第６頁〜第８頁及び第１図、第４図）
【発明の開示】
【発明が解決しようとする課題】
【０００５】
エンドスタッド１０４を構成するノズル１０５とニードル１０６とを締結するのに、ナット１０７を用いてねじ締結すると、それらを分解して洗浄するとしても、ノズル１０５の雄ねじ部分１０５ａやナット１０７の雌ねじ部分を完全に洗浄することは困難である。特に、ノズル１０５の雄ねじ部分１０５ａについては洗浄を行いにくいというのが現状である。
【０００６】
それで、発明者は、ねじを使用しない構造でノズルとニードルを締結してエンドスタッドを構成すれば、これらの締結を解除するだけで容易かつ確実に洗浄することができることに着想し、本発明をなすに至ったものである。
【０００７】
本発明は、エンドスタッドを構成するノズルとニードルとを容易かつ確実に洗浄することができる一軸偏心ねじポンプを提供することを目的とする。
【課題を解決するための手段】
【０００８】
請求項１の発明は、回転駆動される雄ねじ形ロータを、雌ねじ形ステータ内に回転自在に嵌挿して偏心回転させることにより対象液を移送し、ポンプ先端のエンドスタッドを通じて前記対象液の塗布・充填を行う一軸偏心ねじポンプにおいて、前記エンドスタッドは、ノズルの先端にニードルを差し込み、それらを二分割のジョイントスリーブで左右両側から抱き込み、前記ジョイントスリーブの外側にセーフティスリーブを嵌め込んでいることを特徴とする。つまり、二分割のジョイントスリーブとセーフティスリーブとを用いることで、ねじ締結によることなく、ノズルとニードルとを締結してエンドスタッドを構成するものである。
【０００９】
このようにすれば、ノズルの先端にニードルが差し込まれた状態で、それらを抱き込むジョイントスリーブの外側にセーフティスリーブを嵌め込むことによりノズルにニードルを締結するようにしているので、ねじを使用することなく、ノズルとニードルとが締結され、エンドスタッドが構成される。よって、洗浄を必要とするノズルやニードルに、洗浄が困難であるねじ部分がないので、それらの洗浄を容易かつ確実に行うことが可能となる。
【００１０】
また、セーフティスリーブをスライド移動するだけでジョイントスリーブを二分割して締結を解除することができるので、サイズが異なるニードルの交換を簡単に行うことができる。
【００１１】
しかも、二分割のジョイントスリーブによる左右からの抱き込み及びセーフティスリーブのスライド移動によるジョイントスリーブへの嵌め込みにより、ノズルにニードルを締結する構造であるので、工具を用いることなく、ニードルの交換もすることができる。
【００１２】
請求項２に記載のように、前記セーフティスリーブは、前記ノズルの先端にニードルが差し込まれた状態で、前記ノズルの外周部とジョイントスリーブの外周部との間をスライド移動可能に設けられており、前記ジョイントスリーブの先端側に前記セーフティスリーブの移動を規制するストッパ部が設けられているようにしてもよい。
【００１３】
このようにすれば、ジョイントスリーブの外側に嵌め込まれるセーフティスリーブをノズルの外周部に位置させておくことができるので、セーフティスリーブを紛失するのが回避される。
【００１４】
また、セーフティスリーブをジョイントスリーブの外側に位置させニードルとノズルとを締結した状態では、ジョイントスリーブのストッパ部にてセーフティスリーブの脱落が防止され、セーフティスリーブが、ジョイントスリーブから不用意に外れることがなくなる。
【発明の効果】
【００１５】
以上のように構成したから、本発明は、ねじを使用しない構造でエンドスタッドを構成するノズルとニードルとの締結を行うため、それらを簡単に分解することができ、接液部であるエンドスタッド（ノズル・ニードル）の洗浄を容易かつ確実に行うことができる。
【発明を実施するための最良の形態】
【００１６】
以下、本発明の実施の形態を図面に沿って説明する。
【００１７】
図１は本発明に係る一軸偏心ねじポンプの斜視図、図２は同分解斜視図である。
【００１８】
図１に示すように、一軸偏心ねじポンプ１は、ポンプ部２及び駆動部３を備える。このポンプ１は、設置状態では、ポンプ長手方向が上下方向となる縦置きで、下側にポンプ部２、上側に駆動部３がそれぞれ位置し、例えば、下側（ポンプ部２先端）から対象液を塗布又は充填する作業に使用される。
【００１９】
ポンプ部２は、ロータ４がステータ５内を偏心回転するポンプ本体６、ポンプケーシング７とを有する。ロータ４は、ポンプケーシング７内で減速機付きモータ８によって回転駆動されるドライブシャフト（図示せず）にジョイント９（オルダム継手）を介して連結される。これにより、ロータ４がモータ８によって回転駆動される。ポンプケーシング７には、ポンプ室（図示せず）に連通する吸込口部７ａが形成されている。
【００２０】
ポンプ本体６の一端部には、対象液を塗布又は充填するためのエンドスタッド１１が設けられている。このポンプ本体６の他端部には筒状のポンプケーシング７の一端部が連結され、このポンプケーシング７の他端部には中間アダプタ１３の一端部が連結されている。また、中間アダプタ１３の他端部には、減速機取付ベース１４を介して減速機付モータ８が設けられている。この中間アダプタ１３，減速機取付ベース１４及び減速機付モータ８によって、駆動部３が構成される。
【００２１】
そしてポンプケーシング７内で、減速機付モータ８から延びるドライブシャフト（図示せず）が、ジョイント９を介してロータ４に一緒に回転するように連結されている。
【００２２】
エンドスタッド１１には、図３〜図５に示すように、基本的には、主たる構成要素であるノズル２１及びニードル２２のほか、ジョイントスリーブ２３及びセーフティスリーブ２４が含まれる。
【００２３】
ノズル２１は、ポンプ本体６の先端に一端が接続される本体部２１ａと、この本体部２１ａの他端に連接されニードル２２が先端外側にシール材２５を介して嵌合される先端部２１ｂとを有する。先端部２１ｂには、ニードル２２が嵌合される接続部分２１ｂａが形成され、この部分２１ｂａに、シール材２５が設けられる周回凹部２１ｂｂが形成されている。
【００２４】
ジョイントスリーブ２３は、２つの部材２３Ａ，２３Ｂで構成される二分割タイプで、内周面側に周回凹部２３ａが形成される一方、外周面側の先端に外方に突出する周回凸部２３ｂ（ストッパ部）が設けられている。ニードル２２及びノズル２１をジョイントスリーブ２３を構成する２つの部材２３Ａ，２３Ｂで左右両側から抱き込んだ状態で、周回凹部２３ａにはニードル２２のフランジ部２２ａ及びノズル２１の中間フランジ部２１ｂｃ（先端部２１ｂ）が嵌合される。この嵌合された状態で、ジョイントスリーブ２３の外周面がノズル２１の先端部２１ａの外周面と略面一となる。
【００２５】
セーフティスリーブ２４は、エンドスタッド１１の分解（組み付け前）時には、ノズル２１の先端部２１ｂ（本体部２１ａ寄りの部分）にスライド可能に嵌合されている。つまり、セーフティスリーブ２４は、ノズル２１の先端部２１ｂの外周に位置する第１の位置Ｐ１にある。そして、前述したようにジョイントスリーブ２３の外周面とノズル２１の先端部２１ａの外周面とが略面一となった状態で、セーフティスリーブ２４は、ジョイントスリーブ２３の外周に位置しノズル２１に対しニードル２２を締結固定する第２の位置Ｐ２までスライド移動することができる。セーフティスリーブ２４は第１の位置Ｐ１又は第２の位置Ｐ２を択一的にとり得るように構成されている。セーフティスリーブ２４の内周面側には周回凹部２４ａが形成され、この周回凹部２４ａ内にジョイントスリーブ２３との間をシールするシール材２６が設けられている。
【００２６】
また、ノズル２１（本体部２１ａ）は、外側に、半径方向外方に対称に突出するフック形状の２つの係止部２１ａａ，２１ａｂを備える。その２つの係止部２１ａａ，２１ａｂに、それぞれ、長尺ロッド状のステー部材３１の一端部に設けられた係合部３１ａが係脱可能に係合する構成とされている。なお、ステー部材３１と係合部３１ａとは一体的に形成することもできる。
【００２７】
ステー部材３１の他端部は小径ねじ部３１ｂとされ、その小径ねじ部３１ｂにナット３２が螺合されている。そして、ノズル２１の係止部２１ａａ，２１ａｂとステー部材３１の係合部３１ａとを係合させた状態で、中間アダプタ１３の係合部１３ａ，１３ｂにステー部材３１の小径ねじ部３１ｂが嵌め込まれ、ナット３２を締め込むことで、エンドスタッド１１と中間アダプタ１３との間に、ポンプ本体６とポンプケーシング７を挟んだ状態にクランプすることができる。
【００２８】
このように構成すれば、ノズル２１の先端部２１ｂの外側にニードル２２を嵌合した状態で、ジョイントスリーブ２３の両部材２３Ａ，２３Ｂでもって左右両側から抱き込み（この抱き込み状態ではジョイントスリーブ２３は筒状となっている）、さらにこの抱き込み状態でジョイントスリーブ２３の外周側にセーフティスリーブ２４をスライド移動させる（第１の位置Ｐ１から第２の位置Ｐ２にスライド移動させる）ことで、セーフティスリーブ２４をジョイントスリーブ２３の外周側に簡単に嵌め込むことができる。これにより、ジョイントスリーブ２３及びセーフティスリーブ２４によってノズル２１の先端にニードル２２が完全に締結固定され、また、ニードル２２からの対象液の吐出圧が高圧になっても２５によってノズル２１とニードル２２との接続部分からの液漏れの心配はない。
【００２９】
それから、ノズル２１の係止部２１ａａ，２１ａｂそれぞれにステー部材３１の係合部３１ａを係脱可能に係合させ、それらの係合を維持した状態でステー部材３１の小径ねじ部３１ｂを中間アダプタ１３の係合部１３ａ，１３ｂに嵌め込み、小径ねじ部３１ｂに対しナット３２を締め込むことで、エンドスタッド１１が、２つのステー部材３１を介してポンプ本体６の先端部に固定されることになる。
【００３０】
洗浄する場合には、締結を解除する必要があるので、まず、各ステー部材３１についてナット３２を緩めて、それぞれ側方にずらせることにより中間アダプタ１３の係合部１３ａ，１３ｂと小径ねじ部３１ｂとの係合を解除し、それからノズル２１の係止部２１ａａ，２１ａｂからステー部材３１の係合部３１ａとの係止を解除することで、両ステー部材３１を取り外す。
【００３１】
その後、セーフティスリーブ２４を、ノズル２１の先端部２１ｂにスライド移動させて、ジョイントスリーブ２３の締結を解除し、両部材２３Ａ，２３Ｂを分割して取り外し、ニードル２２をノズル２１から取り外す。
【００３２】
これにより、ノズル２１、ニードル２２、ジョイントスリーブ２３（部材２３Ａ，２３Ｂ）及びセーフティスリーブ２４に分解することができ、これら各部品にはねじ部分が一切使用されていないので、それぞれを単独で簡単かつ確実に洗浄することができる。
【００３３】
また、ジョイントスリーブ２３は２分割タイプで、ニードル２２のフランジ部２２ａ及びノズル２１の中間フランジ部２１ｂｃに対して外側から周回凹部２３ａが嵌り込む構成としているので、ニードル２２とノズル２１とに対するジョイントスリーブ２３の接続の位置決めも、同時になされる。
【００３４】
さらに、セーフティスリーブ２４をジョイントスリーブ２３の外周にスライド移動させる際（つまり第１の位置Ｐ１から第２の位置Ｐ２に移動させる際）には、周回凸部２３ｂによってセーフティスリーブ２４の先端側への移動が規制されるので、セーフティスリーブ２４によってジョイントスリーブ２３を介してニードル２２をノズル２１に締結する状態が維持される。また、周回凸部２３ｂによって不用意にセーフティスリーブ２４がジョイントスリーブ２３上から脱落するおそれもない。
【図面の簡単な説明】
【００３５】
【図１】本発明に係る一軸偏心ねじポンプの斜視図である。
【図２】同分解斜視図である。
【図３】本発明に係るエンドスタッドの正面図である。
【図４】図３のＡ−Ａ線における断面図である。
【図５】本発明に係るエンドスタッドの分解斜視図である。
【図６】従来の一軸偏心ねじポンプを示す断面図である。
【符号の説明】
【００３６】
１    一軸偏心ねじポンプ
２    ポンプ部
３    駆動部
４    ロータ
５    ステータ
６    ポンプ本体
１１    エンドスタッド
２１    ノズル
２２    ニードル
２３    ジョイントスリーブ
２３Ａ，２３Ｂ    部材
２３ａ    周回凹部
２３ｂ    周回凸部（ストッパ部）
２４    セーフティスリーブ
【図１】
2005344585.tif 000003
【図２】
2005344585.tif 000004
【図３】
2005344585.tif 000005
【図４】
2005344585.tif 000006
【図５】
2005344585.tif 000007
【図６】
2005344585.tif 000008